(57)【要約】  呼処理制御装置（２０）は、移動端末（３０）からの呼接続要求（３２）を受け付けて接続設定処理を行う。呼処理制御装置（２０）は、呼接続要求（３２）の呼種別を判定し、判定結果に基づいて呼接続要求（３２）を受付判定の対象と対象外に選別する呼種別判定部（２１）と、受付判定の対象に選別された呼接続要求（３２）を受け付けるか否か判定する受付判定部（２２）とを具備する。優先度の高い呼接続要求への影響を抑制しながら輻輳を抑制することができる。
2015025452.tif 000002
【特許請求の範囲】
【請求項１】
移動端末からの呼接続要求を受け付けて接続設定処理を行う呼処理制御装置であって、
呼接続要求の呼種別を判定し、判定結果に基づいて呼接続要求を受付判定の対象と対象外に選別する呼種別判定手段と、
受付判定の対象に選別された呼接続要求を受け付けるか否か判定する受付判定手段と
を具備する
呼処理制御装置。
【請求項２】
前記受付判定手段は、受付判定の対象に選別された呼接続要求を所定の確率で受け付けると判定する
請求項１に記載の呼処理制御装置。
【請求項３】
前記受付判定手段は、所定の長さの期間において受付判定の対象に選別された呼接続要求のうち所定の数の呼接続要求を先着順で受け付けると判定する処理を繰り返す
請求項１に記載の呼処理制御装置。
【請求項４】
前記呼処理制御装置は、ＬＴＥ（Ｌｏｎｇ  Ｔｅｒｍ  Ｅｖｏｌｕｔｉｏｎ）の移動通信システムの無線基地局であり、
前記呼種別判定手段は、前記ＬＴＥの移動通信システムのコアネットワークのリソース利用率が所定の閾値より小である場合にコアネットワーク利用促進状態に遷移した前記コアネットワークから送信される移動端末に通信を促すためのコアネットワーク利用促進メッセージを前記呼処理制御装置が受信したときに前記呼処理制御装置のリソース利用率が所定の閾値より小である場合に無線基地局利用促進状態に遷移した前記呼処理制御装置から送信される移動端末に通信を促すための無線基地局利用促進メッセージを受信した場合に、移動端末が端末利用促進状態に遷移したことにより発信された呼接続要求を受付判定の対象に選別する
請求項１乃至３のいずれか１項に記載の呼処理制御装置。
【請求項５】
前記呼処理制御装置は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の移動通信システムの無線ネットワーク制御局であり、
前記呼種別判定手段は、前記ＷＣＤＭＡの移動通信システムのコアネットワークのリソース利用率が所定の閾値より小である場合にコアネットワーク利用促進状態に遷移した前記コアネットワークから送信される移動端末に通信を促すためのコアネットワーク利用促進メッセージを前記呼処理制御装置が受信したときに前記呼処理制御装置の配下の無線基地局のリソース利用率が所定の閾値より小である場合に無線基地局利用促進状態に遷移した前記呼処理制御装置が前記無線基地局を介して送信する移動端末に通信を促すための無線基地局利用促進メッセージを受信した場合に、移動端末が端末利用促進状態に遷移したことにより発信された呼接続要求を受付判定の対象に選別する
請求項１乃至３のいずれか１項に記載の呼処理制御装置。
【請求項６】
前記無線基地局利用促進メッセージの送信が開始されると、前記呼種別判定手段は呼接続要求の呼種別を判定し、判定結果に基づいて呼接続要求を受付判定の対象と対象外に選別する処理を開始し、前記受付判定手段は受付判定の対象に選別された呼接続要求を受け付けるか否か判定する処理を開始し、
前記無線基地局利用促進メッセージの送信が開始されたときから所定の時間が経過すると、前記呼種別判定手段は呼接続要求の呼種別を判定し、判定結果に基づいて呼接続要求を受付判定の対象と対象外に選別する処理を停止し、前記受付判定手段は受付判定の対象に選別された呼接続要求を受け付けるか否か判定する処理を停止する
請求項４又は５に記載の呼処理制御装置。
【請求項７】
前記コアネットワークは、前記コアネットワーク利用促進メッセージにコアネットワーク判定用情報を含めて送信し、
前記呼処理制御装置は、前記無線基地局利用促進メッセージに前記コアネットワーク判定用情報及び無線基地局判定用情報を含めて送信し、
前記無線基地局利用促進メッセージを受信した前記移動端末は、端末利用促進状態に遷移したことにより発信される前記呼接続要求に前記コアネットワーク判定用情報及び前記無線基地局判定用情報を含めて送信し、
前記呼種別判定手段は、端末利用促進状態に遷移したことにより発信された前記呼接続要求に含まれた前記コアネットワーク判定用情報及び前記無線基地局判定用情報に基づいて、端末利用促進状態に遷移したことにより発信された前記呼接続要求を受付判定の対象に選別する
請求項４乃至６のいずれか１項に記載の呼処理制御装置。
【請求項８】
移動端末からの呼接続要求を受け付けて接続設定処理を行う呼処理制御装置を具備し、
前記呼処理制御装置は、
呼接続要求の呼種別を判定し、判定結果に基づいて呼接続要求を受付判定の対象と対象外に選別する呼種別判定手段と、
受付判定の対象に選別された呼接続要求を受け付けるか否か判定する受付判定手段と
を備える
移動通信システム。
【請求項９】
移動端末からの呼接続要求の呼種別を判定し、
呼種別の判定結果に基づいて呼接続要求を受付判定の対象と対象外に選別し、
受付判定の対象に選別された呼接続要求を受け付けるか否か判定する
呼接続要求の受け付け制限方法。
【請求項１０】
移動端末からの呼接続要求の呼種別を判定し、
呼種別の判定結果に基づいて呼接続要求を受付判定の対象と対象外に選別し、
受付判定の対象に選別された呼接続要求を受け付けるか否か判定する、
呼接続要求の受け付け制限方法をコンピュータに実行させるプログラムを格納した非一時的なコンピュータ可読媒体。
【発明の詳細な説明】
【技術分野】
【０００１】
本発明は呼処理制御装置、移動通信システム、呼接続要求の受け付け制限方法、及びプログラムに関する。
【背景技術】
【０００２】
特許文献１は、移動通信システムのネットワークの利用率が低いときにユーザに価格等の面で有利な条件を提示するプロモーションを行うことにより利用率の向上を図ることができる移動通信システムを開示している。この移動通信システムでは、コアネットワークより利用促進情報を受け取ることにより、無線基地局が配下の端末に対して利用促進情報を報知する。【０００３】
一方、特許文献２は、無線チャネルの利用効率を向上させつつ、伝送遅延の増大を制限し品質劣化を防ぐことを可能とする移動パケット通信システムを開示している。このパケット通信システムは、現在設定されているパケット呼に関する情報を記憶している記憶手段と、移動局により送信されたパケット呼の設定要求を受信した際に、記憶手段に記憶されている情報に基づいて、パケット呼が新規呼であるか否かを判定する新規呼判定手段と、新規呼と判定されたパケット呼の設定要求を受け付けるか否かを決定する受付決定手段とを備える。
【先行技術文献】
【特許文献】
【０００４】
【特許文献１】国際公開第２０１３／０１４８４２号
【特許文献２】特開２００３−０３７６１９号公報
【発明の概要】
【発明が解決しようとする課題】
【０００５】
特許文献１に開示された移動通信システムの場合、利用促進情報を受け取った複数の端末が同時多発的に呼接続要求を行い、瞬時的に無線基地局やコアネットワークが輻輳してしまう可能性がある。ここで、特許文献２に開示された設定要求の受け付け制限方法を用いて輻輳の防止を行うと、呼接続要求の呼種別に関係なく新規呼の受け付けが制限されるため、緊急呼のような優先度の高い呼接続要求と利用促進情報が誘引となって発信された呼接続要求のような優先度が低いと考えられる呼接続要求が同じ様に受け付け拒否されるという事態が生じ得る。【０００６】
本発明は、このような問題点を解決するためになされたものであり、優先度の高い呼接続要求への影響を抑制しながら輻輳を抑制することができる呼処理制御装置、移動通信システム、呼接続要求の受け付け制限方法、及びプログラムを提供することを目的とする。
【課題を解決するための手段】
【０００７】
本発明にかかる呼処理制御装置は、移動端末からの呼接続要求を受け付けて接続設定処理を行う。前記呼処理制御装置は、呼接続要求の呼種別を判定し、判定結果に基づいて呼接続要求を受付判定の対象と対象外に選別する呼種別判定部と、受付判定の対象に選別された呼接続要求を受け付けるか否か判定する受付判定部とを具備する。【０００８】
本発明にかかる移動通信システムは、移動端末からの呼接続要求を受け付けて接続設定処理を行う呼処理制御装置を具備する。前記呼処理制御装置は、呼接続要求の呼種別を判定し、判定結果に基づいて呼接続要求を受付判定の対象と対象外に選別する呼種別判定部と、受付判定の対象に選別された呼接続要求を受け付けるか否か判定する受付判定部とを備える。【０００９】
本発明にかかる呼接続要求の受け付け制限方法は、移動端末からの呼接続要求の呼種別を判定し、呼種別の判定結果に基づいて呼接続要求を受付判定の対象と対象外に選別し、受付判定の対象に選別された呼接続要求を受け付けるか否か判定する。【００１０】
本発明にかかるプログラムは、上記呼接続要求の受け付け制限方法をコンピュータに実行させる。
【発明の効果】
【００１１】
本発明によれば、優先度の高い呼接続要求への影響を抑制しながら輻輳を抑制することができる呼処理制御装置、移動通信システム、呼接続要求の受け付け制限方法、及びプログラムを提供することができる。
【図面の簡単な説明】
【００１２】
【図１】実施の形態１による移動通信システムの構成を示す図である。
【図２】実施の形態１による呼接続要求の受け付け制限方法を示すフローチャートである。
【図３】実施の形態２による移動通信システムの構成を示す図である。
【図４】図３のコアネットワークの構成を示す図である。
【図５】図３の無線基地局の構成を示す図である。
【図６】図３の端末の構成を示す図である。
【図７】図３の移動通信システムの動作例を示すシーケンス図である。
【図８】図３のコアネットワークの状態遷移図である。
【図９】図３のコアネットワークにおけるＭＭＥ利用促進状態への遷移のための判定フローチャートである。
【図１０】図３のコアネットワークにおけるＭＭＥ非利用促進状態への遷移のための判定フローチャートである。
【図１１】図３の無線基地局の状態遷移図である。
【図１２】図３の無線基地局におけるｅＮＢ利用促進状態への遷移のための判定フローチャートである。
【図１３】図３の無線基地局におけるｅＮＢ非利用促進状態への遷移のための判定フローチャートである。
【図１４】図３の端末における端末利用促進状態／端末非利用促進状態への遷移のための判定フローチャートである。
【図１５】端末利用促進状態にある図３の端末を使ってユーザがプロモーション呼を発信するフローチャートである。
【図１６】端末利用促進状態に遷移した図３の端末が自動的にプロモーション呼を発信するフローチャートである。
【図１７】図３の無線基地局の状態遷移図である。
【図１８】実施の形態２による呼接続要求の受け付け制限方法を示すフローチャートである。
【図１９】実施の形態３による無線基地局の構成を示す図である。
【図２０】実施の形態３による無線基地局の状態遷移図である。
【図２１】実施の形態３による呼接続要求の受け付け制限方法を示すフローチャートである。
【図２２】実施の形態３による呼接続要求の受け付け制限方法を示す概念図である。
【図２３】実施の形態４による移動通信システムの構成を示す図である。
【発明を実施するための形態】
【００１３】
以下、図面を参照して本発明の実施の形態にかかる呼処理制御装置、移動通信システム、呼接続要求の受け付け制限方法、及びプログラムについて説明する。
【００１４】
（実施の形態１）
図１を参照して、実施の形態１にかかる移動通信システムの構成を説明する。移動通信システムは、例えば携帯電話網である。移動通信システムは、呼処理制御装置２０と、複数の端末３０とを備える。端末３０は、移動可能である。呼処理制御装置２０は、呼種別判定部２１と、受付判定部２２とを備える。端末３０は、呼接続要求３２を呼処理制御装置２０に送信する。呼処理制御装置２０は、接続設定メッセージ３３又は接続拒否メッセージ３４を端末３０に送信する。
【００１５】
図２を参照して、実施の形態１にかかる呼接続要求の受け付け制限方法を説明する。呼処理制御装置２０が端末３０からの呼接続要求３２を受信すると（ステップＳ１００）、呼種別判定部２１は、呼接続要求３２の呼種別を判定し（ステップＳ１０１）、判定結果に基づいて呼接続要求３２を受付判定の対象と対象外とに選別する（ステップＳ１０２）。受付判定の対象の場合、ステップＳ１０３に移る。受付判定の対象外の場合、ステップＳ１０６に移る。
【００１６】
受付判定部２２は、受付判定の対象に選別された呼接続要求３２を受け付けるか否か判定する（ステップＳ１０３）。受け付けると判定した場合（ステップＳ１０４において受付可）、ステップ１０６に移る。受け付けないと判定した場合（ステップＳ１０４において受付不可）、ステップＳ１０５に移る。ステップＳ１０５において、呼処理制御装置２０は、呼接続要求３２について接続拒否処理を実行する。接続拒否処理において、呼処理制御装置２０は接続拒否メッセージ３４を端末３０に送信する。ステップＳ１０５の後、ステップＳ１００に戻る。ステップＳ１０６において、呼処理制御装置２０は、呼接続要求３２について接続設定処理を実行する。接続設定処理において、呼処理制御装置２０は接続設定メッセージ３３を端末３０に送信する。ステップＳ１０６の後、ステップＳ１００に戻る。
【００１７】
本実施の形態によれば、呼接続要求３２の呼種別を判定し、呼種別の判定結果に基づいて呼接続要求３２を受付判定の対象と対象外とに選別している。したがって、優先度の高い呼種別であると判定された呼接続要求３２については接続設定処理を行い、優先度の低い呼種別であると判定された呼接続要求３２については受付判定により接続設定処理を行うか接続拒否処理を行うかを決定することができる。その結果、優先度の高い呼接続要求３２への影響を抑制しながら移動通信システムの輻輳を抑制することができる。
【００１８】
（実施の形態２）
次に、実施の形態２にかかる移動通信システムを説明する。実施の形態２にかかる移動通信システムは、ＬＴＥ（Ｌｏｎｇ  Ｔｅｒｍ  Ｅｖｏｌｕｔｉｏｎ）の移動通信システムである。実施の形態２にかかる移動通信システムは、ネットワークの利用率が低いときにユーザに価格等の面で有利な条件を提示するプロモーションを行うことにより利用率の向上を図る。
【００１９】
図３を参照して、実施の形態２にかかる移動通信システムの構成を説明する。実施の形態２にかかる移動通信システムは、ユーザが使用する移動可能な無線機でありＬＴＥではＵＥ（Ｕｓｅｒ  Ｅｑｕｉｐｍｅｎｔ）と称される複数の端末３と、端末３と無線通信を行いＬＴＥではｅＮＢ（Ｅｎｈａｎｃｅｄ  ＮｏｄｅＢ）と称される無線基地局２と、それらの上位ネットワークでありＬＴＥではＭＭＥ（Ｍｏｂｉｌｉｔｙ  Ｍａｎａｇｅｍｅｎｔ  Ｅｎｔｉｔｙ）とＳＧＷ（Ｓｅｒｖｉｎｇ  Ｇａｔｅｗａｙ）と称されるコアネットワーク１とを含む。また、それらノード間のインターフェイスとして、無線によるＲＲＣ（Ｒａｄｉｏ  Ｒｅｓｏｕｒｃｅ  Ｃｏｎｔｒｏｌ）インターフェイス１３、無線基地局２間のＸ２インターフェイス１２、無線基地局２とコアネットワーク１間のＳ１インターフェイス１１がある。
【００２０】
コアネットワーク１は、ネットワーク制御を行うＭＭＥやユーザデータを扱うＳＧＷで構成され、サービス制御や課金制御、インターネットや電話網への接続を行う。コアネットワーク１は、コアネットワーク装置と称される場合がある。図４は図３のコアネットワーク１の構成を示す図である。コアネットワーク１のリソース利用率判定部１０３は、ＭＭＥやＳＧＷ自身に接続されているユーザ数や処理中のユーザデータ量を測定し、自らの許容値と比較することで得られるリソース利用率を所定値と比較する。リソース利用率が所定値より低い場合、コアネットワーク１の制御部１０１は利用促進が可能な状態であると判断する。
【００２１】
その場合は、制御部１０１が通信部１０２を用いて、Ｓ１インターフェイス１１を通して接続される無線基地局２に対してＭＭＥプロモーション開始メッセージ１１１を送信する。ＭＭＥプロモーション開始メッセージ１１１は、コアネットワーク１配下の無線基地局２に対して、端末に通信を促す利用促進の開始を伝える情報である。
【００２２】
無線基地局２は、端末３との間で無線通信を行う装置であり、上位のコアネットワーク１の制御の下にユーザデータを端末３とコアネットワーク１の間で中継する役割を有する。図５は図３の無線基地局２の構成を示す図である。無線基地局２は、通信部２０２を用いてコアネットワーク１よりＭＭＥプロモーション開始メッセージ１１１を受領することにより、接続されたコアネットワーク１が利用促進状態にあると判断する。
【００２３】
また、無線基地局２のリソース利用率判定部２０３は、無線基地局２に接続されたユーザ数や処理中のデータ量や無線リソース、Ｓ１やＸ２インターフェイスの伝送路情報量を測定し、自らの許容値と比較することで得られるリソース利用率を所定値と比較する。リソース利用率が所定値より低い場合は、無線基地局２の制御部２０１は利用促進が可能な状態であると判断する。
【００２４】
その場合は、制御部２０１が無線通信部２０５を用いて、ＲＲＣインターフェイス１３を通して自局の無線カバレッジ内に存在する端末３に対してｅＮＢプロモーションメッセージ１３１を送信する。ｅＮＢプロモーションメッセージ１３１は、無線基地局２配下の端末３に対して通信を促す利用促進を伝える情報である。このｅＮＢプロモーションメッセージ１３１は、報知情報（Ｓｙｓｔｅｍ  Ｉｎｆｏｒｍａｔｉｏｎ）を使って定期的に配下の端末３に一斉通知するとよい。
【００２５】
無線基地局２は、実施の形態１にかかる呼処理制御装置２０に対応する。無線基地局２は、タイマー２０６、呼種別判定部２０７、受付判定部２０８、及び乱数発生部２０９を備える。呼種別判定部２０７及び受付判定部２０８は、実施の形態１にかかる呼種別判定部２１及び受付判定部２２にそれぞれ対応する。
【００２６】
端末３は、ユーザが音声通話やデータの送受信をする無線機器である。図６は図３の端末３の構成を示す図である。端末３は、無線通信部３０２を用いて無線基地局２からｅＮＢプロモーションメッセージ１３１を受信することにより、コアネットワーク１及び無線基地局２が利用促進状態にあると判断する。そして、端末３の制御部３０１は自端末を用いた通信をユーザに促すメッセージを表示部３０３に表示し、当該表示を見たユーザの操作によって通信をプロモーション呼として開始する。または、ユーザによる手動発信によらず、自動的にデータの送受信をプロモーション呼として開始する。この自動発信は、端末３の自動発信判定部３０４の判定結果に従って制御部３０１が行う。
【００２７】
無線基地局２とコアネットワーク１間のＳ１インターフェイス１１に、コアネットワーク１から無線基地局２方向へ流れるＭＭＥプロモーション開始メッセージ１１１を設ける。ＭＭＥプロモーション開始メッセージ１１１は、ＭＭＥが利用促進状態にあることを通知するメッセージであり、コアネットワーク識別ＩＤ、メッセージ有効期限、利用促進可能な呼のＱＯＳタイプとデータ量、プロモーション呼受け入れ可否判定に使うユニークな値であるＭＭＥプロモーションコード（コアネットワーク判定用情報）などを含めることができる。また、Ｓ１インターフェイス１１に、コアネットワーク１から無線基地局２方向へ流れるＭＭＥプロモーション停止メッセージ１１２を設ける。これはＭＭＥが非利用促進状態になったことを通知する。
【００２８】
ＲＲＣインターフェイス１３に、無線基地局２から端末３方向へ流れるｅＮＢプロモーションメッセージ１３１を設ける。ｅＮＢプロモーションメッセージ１３１は、ｅＮＢが利用促進状態にあるときに定期的に送信されるメッセージである。ｅＮＢプロモーションメッセージ１３１には、ｅＮＢセル識別ＩＤ、メッセージ有効期限、利用促進可能な呼のＱＯＳタイプとデータ量、プロモーション呼受け入れ可否判定に使うユニークな値であるｅＮＢプロモーションコード（無線基地局判定用情報）、及びコアネットワーク１から受領したＭＭＥプロモーションコードなどを含めることができる。
【００２９】
更に、ＲＲＣインターフェイス１３を介して、端末３が無線基地局２にＲＲＣ接続要求メッセージ１３２を送信し、無線基地局２が端末３にＲＲＣ接続設定メッセージ１３３及びＲＲＣ接続拒否メッセージ１３４を送信する。端末３は、実施の形態１にかかる端末３０に対応する。ＲＲＣ接続要求メッセージ１３２、ＲＲＣ接続設定メッセージ１３３及びＲＲＣ接続拒否メッセージ１３４は、それぞれ実施の形態１にかかる呼接続要求３２、接続設定メッセージ３３及び接続拒否メッセージ３４に対応する。
【００３０】
図７は図３に示した移動通信システムにおける動作例を示すシーケンス図である。図７において、コアネットワーク１がＭＭＥ利用促進状態になると（ステップＳ１）、Ｓ１インターフェイス上にＭＭＥプロモーション開始メッセージ１１１を無線基地局２宛に送信する（ステップＳ２）。ＭＭＥプロモーション開始メッセージ１１１を受けた無線基地局２は、ｅＮＢ利用促進状態になることにより（ステップＳ３）、ＲＲＣインターフェイス上にｅＮＢプロモーションメッセージ１３１を定期的に端末３宛に送信する（ステップＳ４）。
【００３１】
ｅＮＢプロモーションメッセージ１３１を受けた端末３は、プロモーション呼発信の処理を通して（ステップＳ５）、ＲＲＣ接続要求メッセージ１３２を無線基地局２宛にＲＲＣインターフェイス上に送信する（ステップＳ６）。この際、ｅＮＢプロモーションメッセージ１３１にて受け取ったｅＮＢプロモーションコード及びＭＭＥプロモーションコードを無線基地局２に送信する。端末３からｅＮＢプロモーションコード及びＭＭＥプロモーションコードを受け取った無線基地局２は、当該コードを、自局がステップＳ４にてｅＮＢプロモーションメッセージ１３１を用いて端末３に送信したｅＮＢプロモーションコード及びＭＭＥプロモーションコードと比較してＲＲＣ接続要求メッセージ１３２の呼種別を判定する（ステップＳ７）。
【００３２】
両者が同じであれば、無線基地局２はＲＲＣ接続要求メッセージ１３２がプロモーション呼であると判定し、更に受付判定を実行して端末３の接続を受け付けるか否か判定する（ステップＳ７）。受付判定において端末３の接続を受け付けると判定した場合、又は、呼種別の判定結果がプロモーション呼以外の場合、無線基地局２はステップＳ８において接続設定処理を実行する。接続設定処理において、無線基地局２は、コアネットワーク１に呼接続要求をし、端末３にＲＲＣ接続設定メッセージ１３３を送信する。ＲＲＣ接続要求メッセージ１３２がプロモーション呼であると判定された場合、呼接続要求は、端末３から受領したＭＭＥプロモーションコードを含めてＳ１インターフェイス上のＩｎｉｔｉａｌ  ＵＥメッセージまたはＮＡＳメッセージに含めて行うこととなる。ＭＭＥプロモーションコードを含む呼接続要求を受領したコアネットワーク１は、当該コードと、ステップＳ２のＭＭＥプロモーション開始メッセージ１１１送信時のＭＭＥプロモーションコードを比較する。両者が同じであれば、コアネットワーク１は、ＭＭＥプロモーションコードを含む呼接続要求がプロモーション呼であると判定する。コアネットワーク１は、課金処理において、プロモーション呼と判定した呼接続要求に基づく通信に対して割引や定額等の特別料金を適用する。
【００３３】
ステップＳ７の受付判定において端末３の接続を受け付けないと判定した場合、無線基地局２はステップＳ８において接続拒否処理を実行する。接続拒否処理において、無線基地局２は端末３にＲＲＣ接続拒否メッセージ１３４を送信する。
【００３４】
次に、図３のコアネットワーク１の動作について図８〜図１０を用いて説明する。図８は図３のコアネットワーク１の状態遷移図である。図８に示すように、コアネットワーク１には、ＭＭＥ利用促進状態Ｓ１５とＭＭＥ非利用促進状態Ｓ１６の二つの状態がある。ＭＭＥ利用促進状態Ｓ１５にあるコアネットワーク１は、ＭＭＥプロモーション開始メッセージ１１１を無線基地局２に向けてＳ１インターフェイス上に送信し、無線基地局２からのプロモーション呼の呼接続要求時にはＭＭＥプロモーションコードの一致確認をしてプロモーション呼受付をする。ＭＭＥ非利用促進状態Ｓ１６にあるコアネットワーク１は、ＭＭＥプロモーション停止メッセージ１１２をＳ１インターフェイス上に送信し、無線基地局２からのプロモーション呼の呼接続要求を拒絶し、また接続中のプロモーション呼を切断する。
【００３５】
図９は図３のコアネットワーク１におけるＭＭＥ利用促進状態Ｓ１５への遷移のための判定フローチャートである。ＭＭＥ非利用促進状態Ｓ１６にあるコアネットワーク１は、コアネットワーク１のリソース利用率が閾値ａより低いと判断した場合（ステップＳ１７）、ＭＭＥ利用促進状態Ｓ１５へ状態遷移する。ここでのリソース利用率とは、ＭＭＥやＳＧＷのハードウェア処理負荷、ハードウェア間インターフェイス上の情報量、接続ユーザ数やデータ量などの各値の対許容量比である。
【００３６】
図１０は図３のコアネットワーク１におけるＭＭＥ非利用促進状態Ｓ１６への遷移のための判定フローチャートである。ＭＭＥ利用促進状態Ｓ１５にあるコアネットワーク１は、コアネットワーク１のリソース利用率が閾値ｂより高いと判断した場合（ステップＳ１８）、ＭＭＥ非利用促進状態Ｓ１６へ状態遷移する。ここでのリソース利用率とは、ＭＭＥやＳＧＷのハードウェア処理負荷、ハードウェア間インターフェイス上の情報量、接続ユーザ数やデータ量などの各値の対許容量比である。
【００３７】
次に、図３の無線基地局２の動作について図１１〜図１３を用いて説明する。図１１は図３の無線基地局２の状態遷移図である。図１１に示すように、無線基地局２には、ｅＮＢ利用促進状態Ｓ２１とｅＮＢ非利用促進状態Ｓ２２がある。ｅＮＢ利用促進状態Ｓ２１にある無線基地局２は、ｅＮＢプロモーションメッセージ１３１を端末３に対してＲＲＣインターフェイス上に定期的に送信し、また、端末３からのプロモーション呼のＲＲＣ接続要求１３２を受付可能である。ｅＮＢ非利用促進状態Ｓ２２にある無線基地局２は、ＲＲＣインターフェイス上へのｅＮＢプロモーションメッセージ１３１送信をやめ、端末３からのプロモーション呼のＲＲＣ接続要求１３２を拒絶し、また接続中のプロモーション呼を切断する。
【００３８】
図１２は図３の無線基地局２におけるｅＮＢ利用促進状態Ｓ２１への遷移のための判定フローチャートである。ｅＮＢ非利用促進状態Ｓ２２にある無線基地局２は、コアネットワーク１よりＭＭＥプロモーション開始メッセージ１１１を受領すると（ステップＳ２３）、ステップＳ２４に移る。ステップＳ２４において無線基地局２は、無線基地局２のリソース利用率が閾値ｃより低いと判断した場合、ｅＮＢ利用促進状態Ｓ２１へ状態遷移する。ここでのリソース利用率とは、無線基地局２のハードウェア処理負荷、Ｓ１やＸ２インターフェイス上の情報量、無線送受信電力、接続ユーザ数やデータ量の各値の対許容量比である。
【００３９】
図１３は図３の無線基地局２におけるｅＮＢ非利用促進状態Ｓ２２への遷移のための判定フローチャートである。ｅＮＢ利用促進状態Ｓ２１にある無線基地局２は、コアネットワーク１よりＭＭＥプロモーション停止メッセージ１１２を受領すると（ステップＳ２５）、ｅＮＢ非利用促進状態Ｓ２２へ状態遷移する。またステップＳ２５にてＭＭＥプロモーション停止メッセージ１１２を受領しない場合でも、無線基地局２は無線基地局２のリソース利用率が閾値ｄより高いと判断した場合（ステップＳ２６）、ｅＮＢ非利用促進状態Ｓ２２へ状態遷移する。ここでのリソース利用率とは、無線基地局２のハードウェア処理負荷、Ｓ１やＸ２インターフェイス上の情報量、無線送受信電力、接続ユーザ数やデータ量の各値の対許容量比である。
【００４０】
次に、図３の端末３の動作について図１４〜図１６を用いて説明する。図１４は図３の端末３における端末利用促進状態／端末非利用促進状態への遷移のための判定フローチャートである。図１４に示すように、端末３には、端末利用促進状態Ｓ３１と端末非利用促進状態Ｓ３２の二つの状態がある。どちらの状態においても、端末３は定期的に無線基地局２からのＲＲＣインターフェイス上でのｅＮＢプロモーションメッセージ１３１受領を確認した場合（ステップＳ３３）、端末利用促進状態Ｓ３１に遷移する。
【００４１】
また、ｅＮＢプロモーションメッセージ１３１を受信しない場合でも、無線基地局２から最後に受けたｅＮＢプロモーションメッセージ１３１に示された有効期限内であると判定された場合は（ステップＳ３４）、端末３は端末利用促進状態Ｓ３１を継続し、有効期限外と判断された場合は（ステップＳ３４）端末非利用促進状態Ｓ３２に遷移する。なお、端末非利用促進状態Ｓ３２にある端末３は、プロモーション呼を発信できない。
【００４２】
図１５は端末利用促進状態Ｓ３１にある図３の端末３を使ってユーザがプロモーション呼を発信するフローチャートである。端末利用促進状態Ｓ３１に遷移した端末３（ステップＳ４１）は表示部３０３に、利用を促す（端末３を用いた通信を促す）表示を行う（ステップＳ４２）。例えば、ユーザに有利な価格等の通話条件を提示する表示であり、「２０％通話料割引中」、「２４時まで定額料金適用中」などである。表示内容は無線基地局２から通知されたｅＮＢプロモーションメッセージ１３１に含まれた情報を利用すればよい。
【００４３】
その表示を見たユーザが音声やデータ通信の発信操作を行うと（ステップＳ４３）、端末３はｅＮＢプロモーションコードとＭＭＥプロモーションコードを含めてＲＲＣ接続要求１３２を無線基地局２へ送信する（ステップＳ４４）。その後、接続設定処理（ステップＳ８）が行われた場合はプロモーション呼の通信開始に至る。
【００４４】
図１６は端末利用促進状態Ｓ３１に遷移した図３の端末３が自動的にプロモーション呼を発信するフローチャートである。端末非利用促進状態Ｓ３２にある端末３は、送信予定のデータを図示せぬメモリに保持しており、また、受信候補のデータのリストをメモリに保持している（ステップＳ５１）。端末３が端末利用促進状態Ｓ３１に遷移した場合（ステップＳ５２）、プロモーション呼自動発信判定を行う（ステップＳ５３）。判定条件は、無線基地局２からｅＮＢプロモーションメッセージ１３１で送られてきた条件(メッセージ有効期限、呼の許容ＱＯＳタイプとデータ量)に基づき、送受信予定のデータがメッセージ有効期限内に送受信できるか、送受信予定のデータの送受信が指定されたＱＯＳで満たせるか、送受信予定のデータ量が指定された範囲内かなどである。
【００４５】
プロモーション呼自動発信判定において条件を満たすデータがある場合、端末３は、当該データの所定の送信先に送信すべく、または当該データの所定の受信先から受信すべく、ｅＮＢプロモーションコードとＭＭＥプロモーションコードを含めてＲＲＣ接続要求１３２を無線基地局２へ送信する（ステップＳ５４）。その後、接続設定処理（ステップＳ８）が行われた場合はプロモーション呼の通信開始に至る。
【００４６】
図１６では、送信予定のデータとして速報性（今すぐリアルタイムに通知）の必要のないデータを、端末３が端末利用促進状態Ｓ３１に遷移した場合に送信することが考えられる。データの例としては、・端末３を具備する自動販売機で集計した、一日の売上情報、・端末３を具備する各種メータで集計した、電気／ガスの利用情報、・端末３を具備する乗り物が収集した、地理情報、・端末３を具備するセンサが集計した、気象、環境情報、・端末３が収集した、電波環境、位置情報、ユーザの端末利用状況（トラフィック量、サービス呼種別、通信品質、時間等）の情報、・端末３のユーザが送信予約した、電子メール、ゲームスコア／結果、写真、動画、音楽、文書、ソフトウェア、個人情報、掲示板投稿、データベース等、が考えられる。
【００４７】
また、図１６では、受信候補のデータとして速報性（今すぐリアルタイムに知る）の必要のないデータを予めリストアップしておき、端末３が端末利用促進状態Ｓ３１に遷移した場合に受信することが考えられる。受信後、オフラインでユーザがそれら情報を利用することができる。データの例としては、・端末３自身、また端末３を具備するコンピュータ、自動販売機、機械等に適用する更新ソフトウェア、ミドルウェア、データベース等の情報、・端末３のユーザが受信予約した、電子メール、ゲームソフト、写真、動画、音楽、文書、図書、ソフトウェア、ニュース、掲示板投稿、テレビ番組表、気象情報、地図情報、製品価格情報、データベース、ＲＳＳフィード情報（ニュースサイトやブログ、ポッドキャスト配信で使用）等、が考えられる。
【００４８】
次に、図３の無線基地局２の動作について図１７〜図１８を用いて説明する。図１７は、図３の無線基地局２の状態遷移図である。図１７に示すように、無線基地局２には、呼種別に基づく受付判定非実行状態Ｓ６１と呼種別に基づく受付判定実行状態Ｓ６２がある。ｅＮＢプロモーションメッセージ１３１の送信が開始されると、無線基地局２は、呼種別に基づく受付判定非実行状態Ｓ６１から呼種別に基づく受付判定実行状態Ｓ６２に遷移する。このとき、タイマー２０６がカウントを開始する。タイマー２０６が所定の時間Ｘ（秒）をカウントすると、無線基地局２は、呼種別に基づく受付判定実行状態Ｓ６２から呼種別に基づく受付判定非実行状態Ｓ６１に遷移する。
【００４９】
呼種別に基づく受付判定非実行状態Ｓ６１においては、呼種別判定部２０７は、ＲＲＣ接続要求１３２の呼種別を判定し、呼種別の判定結果に基づいてＲＲＣ接続要求１３２を受付判定の対象と対象外に選別する処理を実行しない。受付判定部２０８は、受付判定の対象に選別されたＲＲＣ接続要求１３２を受け付けるか否か判定する処理を実行しない。
【００５０】
呼種別に基づく受付判定実行状態Ｓ６２においては、呼種別判定部２０７は、ＲＲＣ接続要求１３２の呼種別を判定し、呼種別の判定結果に基づいてＲＲＣ接続要求１３２を受付判定の対象と対象外に選別する処理を実行する。受付判定部２０８は、受付判定の対象に選別されたＲＲＣ接続要求１３２を受け付けるか否か判定する処理を実行する。
【００５１】
図１８は、呼種別に基づく受付判定実行状態Ｓ６２において無線基地局２が実行する呼接続要求の受け付け制限方法を示すフローチャートである。ステップＳ７１〜Ｓ７４は、図７のステップＳ７に対応する。ステップＳ７５〜Ｓ７７は、図７のステップＳ８に対応する。無線基地局２が端末３からのＲＲＣ接続要求１３２を受信すると（ステップＳ７１）、呼種別判定部２０７は、ＲＲＣ接続要求１３２がプロモーション呼かどうか判定し（ステップＳ７２）、プロモーション呼と判定したＲＲＣ接続要求１３２を受付判定の対象に選別し（ステップＳ７２においてＹＥＳ）、プロモーション呼と判定しなかったＲＲＣ接続要求１３２を受付判定の対象外に選別する（ステップＳ７２においてＮＯ）。
【００５２】
呼種別判定部２０７は、コアネットワーク１のリソース利用率が所定の閾値より小である場合にＭＭＥ利用促進状態に遷移したコアネットワーク１から送信される端末３に通信を促すためのＭＭＥプロモーション開始メッセージ１１１を無線基地局２が受信したときに無線基地局２のリソース利用率が所定の閾値より小である場合にｅＮＢ利用促進状態に遷移した無線基地局２から送信される端末３に通信を促すためのｅＮＢプロモーションメッセージ１３１を受信した場合に、端末３が端末利用促進状態に遷移したことにより発信されたＲＲＣ接続要求１３２をプロモーション呼であると判定する。
【００５３】
ここで、呼種別判定部２０７は、ＲＲＣ接続要求１３２に含まれたＭＭＥプロモーションコード（コアネットワーク判定用情報）及びｅＮＢプロモーションコード（無線基地局判定用情報）に基づいてプロモーション呼か否かの判定を行う。尚、呼種別判定部２０７は、ｅＮＢプロモーションコード（無線基地局判定用情報）のみに基づいて判定を行ってもよい。
【００５４】
ＲＲＣ接続要求１３２がプロモーション呼であると判定された場合（ステップＳ７２においてＹＥＳ）、乱数発生部２０９は、乱数Ｙ（１−１００のいずれか）を発生する（ステップＳ７３）。受付判定部２０８は、乱数Ｙが所定の値Ｎより大きいか判定する（ステップＳ７４）。乱数Ｙが値Ｎより大きい場合（ステップＳ７４においてＹＥＳ）、受付判定部２０８はＲＲＣ接続要求１３２を受け付けないと判定し、無線基地局２は接続拒否処理を実行する（ステップＳ７５）。接続拒否処理において、制御部２０１は、無線通信部２０５にＲＲＣ接続拒否メッセージ１３４を送信させる。
【００５５】
乱数Ｙが値Ｎより大きくない場合（ステップＳ７４においてＮＯ）、受付判定部２０８はＲＲＣ接続要求１３２を受け付けると判定し、無線基地局２は接続設定処理を実行する（ステップＳ７６）。接続設定処理において、制御部２０１は、通信部２０２にコアネットワーク１への呼接続要求を送信させ、無線通信部２０５にＲＲＣ接続設定メッセージ１３３を送信させる。ここで、呼接続要求は、ＲＲＣ接続要求１３２に含まれたＭＭＥプロモーションコード（コアネットワーク判定用情報）を含む。
【００５６】
ＲＲＣ接続要求１３２がプロモーション呼であると判定されなかった場合（ステップＳ７２においてＮＯ）、無線基地局２は接続設定処理を実行する（ステップＳ７７）。接続設定処理において、制御部２０１は、通信部２０２にコアネットワーク１への呼接続要求を送信させ、無線通信部２０５にＲＲＣ接続設定メッセージ１３３を送信させる。
【００５７】
本実施の形態によれば、プロモーション呼であると判定されたＲＲＣ接続要求１３２は、優先度が低いと考えられるので、０％より高く１００％より低い所定の確率（Ｎ％）で受け付けると判定されて接続設定処理の対象となる。一方、プロモーション呼であると判定されなかったＲＲＣ接続要求１３２は、１００％の確率で接続設定処理の対象となる。
【００５８】
更に、本実施の形態によれば、ｅＮＢプロモーションメッセージ１３１の送信が開始されると、呼種別判定部２０７は、ＲＲＣ接続要求１３２の呼種別を判定し、判定結果に基づいてＲＲＣ接続要求１３２を受付判定の対象と対象外に選別する処理を開始し、受付判定部２０８は受付判定の対象に選別されたＲＲＣ接続要求１３２を受け付けるか否か判定する処理を開始する。ｅＮＢプロモーションメッセージ１３１の送信が開始されたときから所定の時間Ｘが経過すると、呼種別判定部２０７は、ＲＲＣ接続要求１３２の呼種別を判定し、判定結果に基づいてＲＲＣ接続要求１３２を受付判定の対象と対象外に選別する処理を停止し、受付判定部２０８は受付判定の対象に選別されたＲＲＣ接続要求１３２を受け付けるか否か判定する処理を停止する。
【００５９】
したがって、本実施の形態によれば、ｅＮＢプロモーションメッセージ１３１の送信開始後の一定期間（Ｘ秒の期間）のみプロモーション呼の受け付けが制限される。プロモーション呼が同時多発する可能性の高い期間だけプロモーション呼の受け付けが制限されるので、プロモーション呼の受け付けが不必要に制限されることが防止される。
【００６０】
尚、値Ｎ及びＸは、予め無線基地局２に設定されてもよく、コアネットワーク１から無線基地局２に通知されてもよい。
【００６１】
（実施の形態３）
次に、実施の形態３にかかる移動通信システムを説明する。実施の形態３にかかる移動通信システムは、下記の点が実施の形態２にかかる移動通信システムから変更されている。以下において、実施の形態２と共通する事項及び実施の形態２から自明な事項の説明を省略する。
【００６２】
図１９を参照して、実施の形態３にかかる無線基地局２の構成を説明する。実施の形態３にかかる無線基地局２は、実施の形態２にかかる無線基地局２と同様に、制御部２０１、通信部２０２、リソース利用率判定部２０３、無線通信部２０５、タイマー２０６、呼種別判別部２０７、及び受付判定部２０８を備える。実施の形態３にかかる無線基地局２は、更に、繰り返し数カウンタ２１０と、累積呼接続要求数カウンタ２１１を備える。
【００６３】
次に、実施の形態３にかかる無線基地局２の動作について図２０〜図２１を用いて説明する。図２０は、無線基地局２の状態遷移図である。図２０に示すように、無線基地局２には、呼種別に基づく受付判定非実行状態Ｓ６１と呼種別に基づく受付判定実行状態Ｓ６２がある。ｅＮＢプロモーションメッセージ１３１の送信が開始されると、無線基地局２は、呼種別に基づく受付判定非実行状態Ｓ６１から呼種別に基づく受付判定実行状態Ｓ６２に遷移する。このとき、タイマー２０６が初期値からカウントを開始し、繰り返し数カウンタ２１０が０にリセットされる。
【００６４】
タイマー２０６が所定の時間Ａ（秒）をカウントしたときに繰り返し数カウンタ２１０の値が所定の繰り返し数Ｍより小さいと、無線基地局２は、呼種別に基づく受付判定実行状態Ｓ６２から呼種別に基づく受付判定実行状態Ｓ６２に遷移する。このとき、タイマー２０６が初期値からカウントを開始し、繰り返し数カウンタ２１０がインクリメントされる。タイマー２０６が所定の時間Ａをカウントしたときに繰り返し数カウンタ２１０の値が所定の繰り返し数Ｍに等しいと、無線基地局２は、呼種別に基づく受付判定実行状態Ｓ６２から呼種別に基づく受付判定非実行状態Ｓ６１に遷移する。
【００６５】
図２１は、呼種別に基づく受付判定実行状態Ｓ６２において無線基地局２が実行する呼接続要求の受け付け制限方法を示すフローチャートである。ステップＳ８１〜Ｓ８５は、図７のステップＳ７に対応する。ステップＳ８６〜Ｓ８８は、図７のステップＳ８に対応する。無線基地局２が呼種別に基づく受付判定実行状態Ｓ６２に遷移すると、累積呼接続要求数カウンタ２１１が０にリセットされる（ステップＳ８１）。無線基地局２が端末３からのＲＲＣ接続要求１３２を受信すると（ステップＳ８２）、呼種別判定部２０７は、ＲＲＣ接続要求１３２がプロモーション呼かどうか判定し（ステップＳ８３）、プロモーション呼と判定したＲＲＣ接続要求１３２を受付判定の対象に選別し（ステップＳ８３においてＹＥＳ）、プロモーション呼と判定しなかったＲＲＣ接続要求１３２を受付判定の対象外に選別する（ステップＳ８３においてＮＯ）。ステップＳ８３はステップＳ７２と同様である。
【００６６】
ＲＲＣ接続要求１３２がプロモーション呼であると判定された場合（ステップＳ８３においてＹＥＳ）、累積呼接続要求数カウンタ２１１がインクリメントされる（ステップＳ８４）。受付判定部２０８は、累積呼接続要求数カウンタ２１１の値が設定値Ｂより大きいか判定する（ステップＳ８５）。設定値Ｂは自然数である。累積呼接続要求数カウンタ２１１の値が設定値Ｂより大きい場合（ステップＳ８５においてＹＥＳ）、受付判定部２０８はＲＲＣ接続要求１３２を受け付けないと判定し、無線基地局２は接続拒否処理を実行する（ステップＳ８６）。ステップＳ８６の接続拒否処理はステップＳ７５の接続拒否処理と同様である。
【００６７】
累積呼接続要求数カウンタ２１１の値が設定値Ｂより大きくない場合（ステップＳ８５においてＮＯ）、受付判定部２０８はＲＲＣ接続要求１３２を受け付けると判定し、無線基地局２は接続設定処理を実行する（ステップＳ８７）。ステップＳ８７の接続設定処理はステップＳ７６の接続設定処理と同様である。ＲＲＣ接続要求１３２がプロモーション呼であると判定されなかった場合（ステップＳ８３においてＮＯ）、無線基地局２は接続設定処理を実行する（ステップＳ８８）。ステップＳ８８の接続設定処理はステップＳ７７の接続設定処理と同様である。
【００６８】
図２２は、実施の形態３にかかる呼接続要求の受け付け制限方法を示す概念図である。横軸は、ｅＮＢプロモーションメッセージ１３１の送信が開始されたときからの経過時間である。縦軸はプロモーション呼であると判定されたＲＲＣ接続要求１３２の累積数、すなわち、累積呼接続要求数カウンタ２１１の値である。
【００６９】
本実施の形態によれば、受付判定部２０８は、Ａ秒の期間において受付判定の対象に選別されたＲＲＣ接続要求１３２のうち所定の数ＢのＲＲＣ接続要求１３２を先着順で受け付け、それ以降のＲＲＣ接続要求１３２を受け付けないと判定する処理をＭ回繰り返す。したがって、本実施の形態によれば、ｅＮＢプロモーションメッセージ１３１の送信開始後の一定期間（Ｍ×Ａ秒の期間）のみプロモーション呼の受け付けが制限される。
【００７０】
尚、値Ａ、Ｂ及びＭは、予め無線基地局２に設定されてもよく、コアネットワーク１から無線基地局２に通知されてもよい。
【００７１】
（実施の形態４）
次に、実施の形態４にかかる移動通信システムを説明する。実施の形態４にかかる移動通信システムは、実施の形態２又は３にかかる移動通信システムの機能をＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）（登録商標）の移動通信システムで実現したものである。以下において、実施の形態２及び３と共通する事項及び実施の形態２及び３から自明な事項の説明を省略する。
【００７２】
図２３を参照して、実施の形態４にかかる移動通信システムを説明する。実施の形態４にかかる移動通信システムは、ユーザが使用する移動可能な無線機でありＷＣＤＭＡではＵＥ（Ｕｓｅｒ  Ｅｑｕｉｐｍｅｎｔ）と称される複数の端末５０３と、端末５０３と無線通信を行いＷＣＤＭＡではＮｏｄｅＢと称される無線基地局５０２Ｂと、無線基地局５０２Ｂの制御を行う無線ネットワーク制御局５０２Ａと、それらの上位ネットワークであるコアネットワーク５０１とを含む。無線ネットワーク制御局５０２Ａは、ＲＮＣと称される場合がある。また、それらノード間はインターフェイスにより接続される。端末５０３、無線ネットワーク制御局５０２Ａ、及びコアネットワーク５０１は、それぞれ、端末３、無線基地局２、及びコアネットワーク１に対応する。
【００７３】
コアネットワーク５０１は、プロモーション開始メッセージ６１１及びプロモーション停止メッセージ６１２を無線ネットワーク制御局５０２Ａに送信する。プロモーション開始メッセージ６１１及びプロモーション停止メッセージ６１２は、それぞれＭＭＥプロモーション開始メッセージ１１１及びＭＭＥプロモーション停止メッセージ１１２に対応する。
【００７４】
無線ネットワーク制御局５０２Ａは、プロモーションメッセージ６３１、接続設定メッセージ６３３、及び接続拒否メッセージ６３４を無線基地局５０２Ｂを介して端末５０３に送信する。端末５０３は、接続要求メッセージ６３２を無線基地局５０２Ｂを介して無線ネットワーク制御局５０２Ａに送信する。プロモーションメッセージ６３１、接続要求メッセージ６３２、接続設定メッセージ６３３、及び接続拒否メッセージ６３４は、それぞれ、ｅＮＢプロモーションメッセージ１３１、ＲＲＣ接続要求メッセージ１３２、ＲＲＣ接続設定メッセージ１３３、及びＲＲＣ接続拒否メッセージ１３４に対応する。
【００７５】
コアネットワーク５０１は、コアネットワーク５０１のリソース利用率が所定の閾値より小である場合にコアネットワーク利用促進状態に遷移して端末５０３に通信を促すためのプロモーション開始メッセージ６１１にコアネットワーク判定用情報を含めて無線ネットワーク制御局５０２Ａに送信する。
【００７６】
無線ネットワーク制御局５０２Ａは、プロモーション開始メッセージ６１１を受信したときに無線ネットワーク制御局５０２Ａの配下の無線基地局５０２Ｂのリソース利用率が所定の閾値より小である場合に無線基地局利用促進状態に遷移する。無線基地局利用促進状態に遷移した無線ネットワーク制御局５０２Ａは、端末５０３に通信を促すためのプロモーションメッセージ６３１にコアネットワーク判定用情報及び無線基地局判定用情報を含めて無線基地局５０２Ｂを介して端末５０３に送信する。
【００７７】
端末５０３は、プロモーションメッセージ６３１を受信した場合に端末利用促進状態に遷移して接続要求メッセージ６３２にコアネットワーク判定用情報及び無線基地局判定用情報を含めて無線ネットワーク制御局５０２Ａに無線基地局５０２Ｂを介して送信する。
【００７８】
無線ネットワーク制御局５０２Ａは、接続要求メッセージ６３２に含まれたコアネットワーク判定用情報及び無線基地局判定用情報に基づいて接続要求メッセージ６３２をプロモーション呼であると判定し、接続要求メッセージ６３２を受付判定の対象に選別する。無線ネットワーク制御局５０２Ａは、接続要求メッセージ６３２を受け付けると判定した場合、接続設定メッセージ６３３を無線基地局５０２Ｂを介して端末５０３に送信する。無線ネットワーク制御局５０２Ａは、接続要求メッセージ６３２を受け付けないと判定した場合、接続拒否メッセージ６３４を無線基地局５０２Ｂを介して端末５０３に送信する。
【００７９】
なお、本発明は上記実施の形態に限られたものではなく、趣旨を逸脱しない範囲で適宜変更することが可能である。例えば、プロモーション呼と通常呼の両方を受付判定の対象に選別してもよい。或いは、緊急呼を受付判定の対象外に選別し、その他の呼を受付判定の対象に選別してもよい。更に、呼接続要求の受け付け制限方法は、コンピュータがプログラムを実行することで実現されてもよい。
【００８０】
上述の例において、プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８１】
以上、実施の形態を参照して本願発明を説明したが、本願発明は上記によって限定されるものではない。本願発明の構成や詳細には、発明のスコープ内で当業者が理解し得る様々な変更をすることができる。
【００８２】
この出願は、２０１３年８月２３日に出願された日本出願特願２０１３−１７３２２５を基礎とする優先権を主張し、その開示の全てをここに取り込む。
【符号の説明】
【００８３】
１  コアネットワーク
２  無線基地局
３  端末
２０  呼処理制御装置
２１  呼種別判定部
２２  受付判定部
３０  端末
３２  呼接続要求
１１１  ＭＭＥプロモーション開始メッセージ
１３１  ｅＮＢプロモーションメッセージ
１３２  ＲＲＣ接続要求メッセージ
２０７  呼種別判定部
２０８  受付判定部
５０１  コアネットワーク
５０２Ａ  無線ネットワーク制御局
５０２Ｂ  無線基地局
５０３  端末
６１１  プロモーション開始メッセージ
６３２  接続要求メッセージ
【図１】
2015025452.tif 000003
【図２】
2015025452.tif 000004
【図３】
2015025452.tif 000005
【図４】
2015025452.tif 000006
【図５】
2015025452.tif 000007
【図６】
2015025452.tif 000008
【図７】
2015025452.tif 000009
【図８】
2015025452.tif 000010
【図９】
2015025452.tif 000011
【図１０】
2015025452.tif 000012
【図１１】
2015025452.tif 000013
【図１２】
2015025452.tif 000014
【図１３】
2015025452.tif 000015
【図１４】
2015025452.tif 000016
【図１５】
2015025452.tif 000017
【図１６】
2015025452.tif 000018
【図１７】
2015025452.tif 000019
【図１８】
2015025452.tif 000020
【図１９】
2015025452.tif 000021
【図２０】
2015025452.tif 000022
【図２１】
2015025452.tif 000023
【図２２】
2015025452.tif 000024
【図２３】
2015025452.tif 000025
【手続補正書】
【提出日】平成28年2月9日(2016.2.9)
【手続補正２】
【補正対象書類名】特許請求の範囲
【補正対象項目名】請求項１０
【補正方法】変更
【補正の内容】
【請求項１０】
移動端末からの呼接続要求の呼種別を判定し、
呼種別の判定結果に基づいて呼接続要求を受付判定の対象と対象外に選別し、
受付判定の対象に選別された呼接続要求を受け付けるか否か判定する、
呼接続要求の受け付け制限方法をコンピュータに実行させるプログラム。
【国際調査報告】
2015025452.tif 000026
2015025452.tif 000027
2015025452.tif 000028
2015025452.tif 000029